(57)【特許請求の範囲】
【請求項１】
一のピッチで配列された第１の配線群と該一のピッチよりも大きい他のピッチで配列された第２の配線群との間を接続する第３の配線群をレイアウトする際に、
前記第１の配線群と、該第１の配線群に対応する第３の配線群との組み合わせが複数存在し、
前記複数の第３の配線群のそれぞれの群に対して、１番目の配線と最終番目の配線の各両端について、それぞれ第１又は第２の配線群と直交する座標軸の値である割り出し値を求める工程と、
前記複数の第３の配線群のそれぞれの群に対して、１番目の配線の一端側の前記割り出し値と他端側の前記割り出し値との差を求めると共に、最終番目の配線の一端側の前記割り出し値と他端側の前記割り出し値との差を求める工程と、
求めた全ての差のうち、最も大きい差を選択する工程と、
該選択された差の値をＭとするとき、次式に従って、前記第１の配線群と第３の配線群との間の接続点座標を求める工程と、を含むことを特徴とする配線レイアウト方法。
ｘ座標値＝Ｍ＋ｉ・Ｐａ−Ｐａ
ｙ座標値＝｜Ｌ・（Ｍ＋（ｉ・Ｐａ−Ｐａ）−（ｉ・Ｐｂ−Ｐｂ））／Ｍ｜
但し、ｉ：第３の配線群を構成する配線の番号（１番から最終番まで）
Ｐａ：第１の配線群の配線ピッチ
Ｐｂ：第２の配線群の配線ピッチ
Ｌ：第１の配線群と第２の配線群の間の距離
【発明の詳細な説明】
【０００１】
【発明の属する技術分野】
本発明は、配線レイアウト方法、特に、フラットパネルディスプレイのパネル内配線と駆動用ＬＳＩとの間を接続する配線のレイアウト方法に関する。
液晶やプラズマなどのフラットパネルディスプレイでは、多数の列配線と行配線をパネル内に交差配列し、これらの配線をドライバＬＳＩ（液晶であればデータドライバＬＳＩやゲートドライバＬＳＩ）で駆動することにより、各交差点に設けられた画素の表示階調をコントロールしているが、近時のフラットパネルディスプレイはますます解像度がアップする傾向にあり、これに伴ってパネル内配線の本数増加や線間ピッチの微小化が一段と進みつつあることから、パネル内配線と駆動用ＬＳＩとの間を接続する配線のレイアウトに手間がかかるようになってきた。
【０００２】
ここで、ドライバＬＳＩの端子ピッチをＰａ、パネル内配線の線間ピッチをＰｂとすると、Ｐａ＜Ｐｂである。この理由は、図３に示すように、列側ドライバＬＳＩと行側ドライバＬＳＩをそれぞれ複数個（図３では８個の列側ドライバＬＳＩと３個の行側ドライバＬＳＩ）備えるからであり、Ｐａ＝Ｐｂにすると、ＬＳＩ間のスペースを確保できず、ドライバＬＳＩを並べられないからである。
【０００３】
【従来の技術】
図４は、従来の配線レイアウトを示す概略図である。１はピッチＰａの９本（本数は便宜値）の端子を有するドライバＬＳＩであり、２〜１０は一端側（図面の左側）をドライバＬＳＩ１の各端子に接続し、他端側をピッチＰｂのパネル内配線（図示略）に接続した配線である。
【０００４】
図からも理解されるように、この従来の方法にあっては、ドライバＬＳＩ１の側を基準とすれば、９本の配線２〜１０を扇状に拡げてレイアウトすることにより、ＰａとＰｂの差を吸収している。
【０００５】
【発明が解決しようとする課題】
上記従来の配線レイアウト方法における不都合な点は、配線２〜１０の間隔が、ドライバＬＳＩ１の端子ピッチＰａ−配線幅よりも若干短くなることである。図５において、代表的に示す２本の配線２、３は、図中の符号イで示す部分で最も接近している。すなわち、配線２のコーナ（符号ロ）と配線３の縁との間で最も接近し、その距離（図中の符号イの長さ）は、Ｐａから配線幅を引いた長さ（図中の符号ハの長さ）より短い。
【０００６】
符号イと符号ハの長さの差はわずかであるが、フラットパネルディスプレイの高解像度化に伴ってＰａはより小さくなる傾向にあり、レイアウト上の障害やクロストークの原因になることを否めないから、かかる配線間隔の短縮問題は放置できない。
そこで、本発明は、一のピッチで配列された第１の配線群と他のピッチで配列された第２の配線群との間を接続する第３の配線群の配線間隔の短縮問題を回避することを目的とする。
【０００７】
【課題を解決するための手段】
本発明は、一のピッチで配列された第１の配線群と該一のピッチよりも大きい他のピッチで配列された第２の配線群との間を接続する第３の配線群をレイアウトする際に、前記第１の配線群と、該第１の配線群に対応する第３の配線群との組み合わせが複数存在し、前記複数の第３の配線群のそれぞれの群に対して、１番目の配線と最終番目の配線の各両端について、それぞれ第１又は第２の配線群と直交する座標軸の値である割り出し値を求める工程と、前記複数の第３の配線群のそれぞれの群に対して、１番目の配線の一端側の前記割り出し値と他端側の前記割り出し値との差を求めると共に、最終番目の配線の一端側の前記割り出し値と他端側の前記割り出し値との差を求める工程と、求めた全ての差のうち、最も大きい差を選択する工程と、該選択された差の値をＭとするとき、次式に従って、前記第１の配線群と第３の配線群との間の接続点座標を求める工程と、を含むことを特徴とする。
【０００８】
ｘ座標値＝Ｍ＋ｉ・Ｐａ−Ｐａ
ｙ座標値＝｜Ｌ・（Ｍ＋（ｉ・Ｐａ−Ｐａ）−（ｉ・Ｐｂ−Ｐｂ））／Ｍ｜
但し、ｉ：第３の配線群を構成する配線の番号（１番から最終番まで）
Ｐａ：第１の配線群の配線ピッチ
Ｐｂ：第２の配線群の配線ピッチ
Ｌ：第１の配線群と第２の配線群の間の距離
今、第３の配線群の配線数を便宜的に３本とすると、ｉは１〜３までの値をとる。したがって、第３の配線群の１番目（ｉ＝１）の配線の接続点座標は、
ｘ座標値＝Ｍ
ｙ座標値＝｜Ｌ｜
第３の配線群の２番目（ｉ＝２）の配線の接続点座標は、
ｘ座標値＝Ｍ＋Ｐａ
ｙ座標値＝｜Ｌ・（Ｍ＋Ｐａ−Ｐｂ）／Ｍ｜
第３の配線群の３番目（ｉ＝３）、すなわち最終番目の配線の接続点座標は、
ｘ座標値＝Ｍ＋２Ｐａ
ｙ座標値＝｜Ｌ・（Ｍ＋２Ｐａ−２Ｐｂ）／Ｍ｜
となる。
【０００９】
これらの代入結果より、ｉが増える度にｘ座標値がＰａずつ増え、且つ、ｙ座標値がｉ（Ｐａ−Ｐｂ）ずつ増えることが理解される。すなわち、従来のレイアウト方法（図４）では、レイアウト平面のｘｙ軸のうち一方の座標値（図ではｙ座標値）しか変えていなかったが、本発明では、ｘｙ二つの座標値を変えているため、第３の配線群の配線間隔が拡がり、上述の配線間隔の短縮問題が回避される。
【００１０】
【発明の実施の形態】
以下、本発明の実施例を図面に基づいて説明する。
図１、図２は本発明に係る配線レイアウト方法の一実施例を示す図であり、特に限定しないが、液晶型のフラットパネルディスプレイの行側ドライバ（ゲートドライバ）ＬＳＩ配線への適用例である。
【００１１】
図１において、１０は液晶パネルである。液晶パネル１０には多数の行配線１１（ゲートバスライン）が等ピッチＰｂで形成されており、この行配線１１は請求項１記載の第２の配線群に相当する。１２〜１５は図示を略した行側ドライバＬＳＩを接続するための第１の配線群（請求項１記載の第１の配線群に相当）であり、この第１の配線群１２〜１５のピッチＰａは行配線１１のピッチＰｂよりも小さい。
【００１２】
１６〜１９は第１の配線群１２〜１５と行配線１１との間を接続する第３の配線群（請求項１記載の第３の配線群に相当）のレイアウトエリアである。
第３の配線群１６〜１９の各レイアウトエリア（図では四つのエリア）を設定するには、まず、各エリアごとに四つの座標を求めなければならない。図では代表として上から３番目のエリアにＺ１〜Ｚ４の座標が示されている。
【００１３】
ここで、このエリア内にレイアウトされる第３の配線群１８の各配線に上から順に１番目、２番目、………、最終番目と番号を付したとすると、Ｚ１とＺ３は１番目の配線の一端と他端の座標を表わし、Ｚ２とＺ４は最終番目の配線の一端と他端の座標を表わすことになる。今、図面の縦方向をｙ軸、横方向をｘ軸とすれば、第１の配線群１２〜１５又は行配線（第２の配線群）１１と直交する座標軸はｙ軸である。
【００１４】
第３の配線群１８の１番目の配線と最終番目の配線の各両端について、それぞれのｙ軸の値は、Ｚ１のｙ値、Ｚ２のｙ値、Ｚ３のｙ値、Ｚ４のｙ値で与えられ、これらの値は液晶パネルの設計データを利用すれば、以下のように求めることができる。
0003966946.tif 000002
但し、ａ：液晶パネル１０のセンターから
それぞれの第１の配線群１２〜１５のセンターまでの距離
Ｐａ：第１の配線群１２〜１５の配線ピッチ
ｎ：第１の配線群１２〜１５の配線数
ｊ：第１の配線群１２〜１５の番号
（液晶パネルのセンターから数える）
Ｐｂ：行配線１１（第２の配線群）の配線ピッチ
Ｚ１(y)〜Ｚ４(y)を求めたら、次に、次式▲３▼に従ってＺ１(y)とＺ３(y)の差Ｍ１、及びＺ２(y)とＺ４(y)の差Ｍ２を求める。すなわち、１番目の配線の一端側の割り出し値Ｚ１(y)と他端側の割り出し値Ｚ３(y)との差Ｍ１を求めると共に、最終番目の配線の一端側の割り出し値Ｚ２(y)と他端側の割り出し値Ｚ４(y)との差Ｍ２を求める。
【００１５】
0003966946.tif 000003
次に、これら二つの差値（Ｍ１、Ｍ２）のうち大きい方の値を選択し、後述する座標値演算処理のパラメータＭの値に使用するが、実際には、複数のエリアが存在するから、他のエリア（第３の配線群１６、１７及び１９がレイアウトされるエリア）についてもＭ１、Ｍ２を求め、すべてのＭ１、Ｍ２の中で最大の値を持つものをパラメータＭに使用する。
【００１６】
次に、パラメータＭを用いた座標値演算処理を説明する。
図２は、その概念図であり、ここでは、説明の簡単化のために第１〜第３の配線群の配線数を７本としている。図において、Ｍは、最大の値を持つＭ１又はＭ２である。また、Ｃは第１の配線群１４の配線長、Ｄは図示を略した第２の配線群（行配線）に直線的に接続するための余裕長であり、Ｌは第１の配線群１４の配線端から余裕分までの距離である。
【００１７】
本実施例の座標値演算処理は、要するに、図中実線で示す骨格線をレイアウトするための座標点３０〜５７を、以下の演算式を用いて求めるというものである。但し、座標点４４を基準座標（ｘ＝０，ｙ＝０）とする。
0003966946.tif 000004
このような実施例によれば、図２のレイアウト結果から理解されるように、最小の配線間隔は、第１の配線群１４のみに存在し、第３の配線群１８に存在しない。これは、第１の配線群１４と第３の配線群１８との間の接続点座標３７〜４３をｘ軸とｙ軸の両方に変化させたからであり、これによって、接続点３７〜４３の隣接座標の間隔が大幅に拡大されたからである。
【００１８】
したがって、本実施例によれば、最小の配線間隔が、第１の配線群１４の配線ピッチＰａから第１の配線群１４の配線幅を引いた値以下にならないため、微小なＰａに適用してもレイアウト上の障害やクロストークを招くことはないという従来技術にない格別な効果が得られる。
なお、本実施例の配線レイアウト方法は、ＴＡＢ上の配線にも適用できるし、フェースダウン方式のようなパネル上の配線にも適用できる。
【００１９】
【発明の効果】
本発明によれば、一のピッチで配列された第１の配線群と他のピッチで配列された第２の配線群との間を接続する第３の配線群の配線間隔の短縮問題を回避することができ、特に端子ピッチの小さいドライバＬＳＩを搭載するフラットパネルディスプレイに用いて好適な配線レイアウト方法を提供できる。
【図面の簡単な説明】
【図１】一実施例のレイアウト概念図である。
【図２】一実施例の要部レイアウト概念図である。
【図３】フラットパネルディスプレイのドライバＬＳＩの配置図である。
【図４】従来の配線レイアウト概念図である。
【図５】図４の要部拡大図である。
【符号の説明】
Ｐａ：一のピッチ
Ｐｂ：他のピッチ
１１：行配線（第２の配線群）
１２〜１５：第１の配線群
１５〜１９：第３の配線群
３７〜４３：接続点座標
【図１】
0003966946.tif 000005
【図２】
0003966946.tif 000006
【図３】
0003966946.tif 000007
【図４】
0003966946.tif 000008
【図５】
0003966946.tif 000009